(57)【要約】  【課題】  標準規格に準拠しないフォーマットで多重化された多重化データを光ディスクから再生することができるデータ再生装置を提供することを目的とする。  【解決手段】  光ディスクに記録された管理情報から、光ディスクの規格に準拠するフォーマットの識別情報（std_idc）を検索できない場合、データ再生装置で対応可能で、かつ、別の種類の光ディスクの規格に準拠する標準規格外フォーマットの識別情報（opt_idc）を管理情報から検索するようにした。そして、識別情報（opt_idc）を検出した場合、識別情報（opt_idc）に示すフォーマットに基づいて、光ディスクに記録された多重化データを再生するようにした。【選択図】  図１
2006073163.tif 000002
【特許請求の範囲】
【請求項１】
記録媒体に記録された多重化データを再生するデータ再生装置において、
前記記録媒体から多重化データと、該多重化データの管理情報とを読み出す読み出し部と、
前記管理情報から、前記多重化データ、および前記管理情報が、所定のフォーマットに基づいて記録されていることを示す識別情報を検索する第１の識別情報検索部と、
前記第１の識別情報検索部により識別情報が検出されなかったとき、前記記録媒体とは別の種類の記録媒体の規格に準拠し、かつ、前記データ再生装置で対応可能なフォーマットの識別情報を前記管理情報から検索する第２の識別情報検索部と、
前記第１の識別情報検出部または前記第２の識別情報検索部により検出された識別情報により示されるフォーマットに従って、前記多重化データを分離するデータ分離部と、
前記データ分離部により分離されたデータを復号する復号部とを備え、
前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とするデータ再生装置。
【請求項２】
記録媒体に記録された多重化データを再生するデータ再生装置において、
前記記録媒体から多重化データと、該多重化データの管理情報とを読み出す読み出し部と、
前記管理情報から、前記多重化データ、および前記管理情報が、所定のフォーマットに基づいて記録されていることを示す識別情報を検索する識別情報検索部と、
前記識別情報検索部により検出された識別情報により示されるフォーマットに従って、前記多重化データを分離するデータ分離部と、
前記データ分離部により分離されたデータを復号する復号部と、
前記識別情報検索部により識別情報が検出されなかったとき、前記データ再生装置と有線または無線で接続可能で、前記管理情報から識別情報を解釈できる外部機器を検索する対応機器検索部と、
前記対応機器検索部により検索された外部機器の中から、前記多重化データを送信する外部機器を決定する決定部と、
前記決定部により決定された外部機器にデータを送信する送信部と、
前記多重化データを送信した外部機器から、前記多重化データを分離した分離データを受信する受信部とを備え、
前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とするデータ再生装置。
【請求項３】
請求項２に記載のデータ再生装置において、
前記決定部は、ユーザからの指示を受け付ける機能を有し、ユーザーからの指示に基づいて、前記対応機器検索部により検索された外部機器の中から、前記多重化データを送信する外部機器を決定することを特徴とするデータ再生装置。
【請求項４】
請求項１または２に記載のデータ再生装置において、
前記第２の識別情報検索部は、前記第１の識別情報検索部が前記管理情報から識別情報を解釈する方法とは別の解釈方法で、前記管理情報から識別情報を検索することを特徴とするデータ再生装置。
【請求項５】
請求項１、２または４のいずれかに記載のデータ再生装置において、
前記第２の識別情報検索部により検出された識別情報に示されるフォーマットに基づいて多重化データを再生する際に、前記多重化データの内容に基づいて、前記多重化データの再生方法を決定する再生方法決定部をさらに備えることを特徴とするデータ再生装置。
【請求項６】
請求項５に記載のデータ再生装置において、
前記再生方法決定部は、前記管理情報に含まれる、多重化データ中の映像データまたは音声データの属性情報に基づいて、前記多重化データの再生方法を決定することを特徴とするデータ再生装置。
【請求項７】
請求項５に記載のデータ再生装置において、
前記再生方法決定部は、前記管理情報に含まれる、前記多重化データに対する付加情報に基づいて、前記多重化データの再生方法を決定することを特徴とするデータ再生装置。
【請求項８】
請求項５に記載のデータ再生装置において、
前記再生方法決定部は、ユーザーからの指示を受け付ける機能を有し、ユーザーからの指示に基づいて、前記多重化データの再生方法を決定することを特徴とするデータ再生装置。
【請求項９】
記録媒体にデータを記録するデータ記録装置において、
前記記録媒体から多重化データと、該多重化データの管理情報とを読み出す読み出し部と、
前記管理情報から、前記多重化データ、および前記管理情報が、所定のフォーマットに基づいて記録されていることを示す識別情報を検索する第１の識別情報検索部と、
前記第１の識別情報検索部により識別情報が検出されなかったとき、前記記録媒体とは別の種類の記録媒体の規格に準拠し、かつ、前記データ記録装置で対応可能なフォーマットの識別情報を前記管理情報から検索する第２の識別情報検索部と、
前記第２の識別情報検索部により識別情報が検出されたとき、前記記録媒体の規格に準拠しないフォーマットでデータが多重化されている旨を示す情報を生成する処理部と、
前記処理部が生成した情報を前記記録媒体に書き込む書き込み部とを備え、
前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とするデータ記録装置。
【請求項１０】
請求項９に記載のデータ記録装置において、
前記処理部は、前記記録媒体の規格に準拠しない不正なフォーマットでデータが多重化されている旨を示す情報、または、不正なフォーマットを特定するための情報を生成することを特徴とするデータ記録装置。
【請求項１１】
記録媒体にデータを記録するデータ記録装置において、
前記記録媒体から多重化データと、該多重化データの管理情報とを読み出す読み出し部と、
前記管理情報から、前記多重化データ、および前記管理情報が、所定のフォーマットに基づいて記録されていることを示す識別情報を検索する第１の識別情報検索部と、
前記第１の識別情報検索部により識別情報が検出されなかったとき、前記記録媒体とは別の種類の記録媒体の規格に準拠し、かつ、前記データ記録装置で対応可能なフォーマットの識別情報を前記管理情報から検索する第２の識別情報検索部と、
前記第１の識別情報検索部または前記第２の識別情報検索部により検出された識別情報により示されるフォーマットに従って、前記多重化データを分離するデータ分離部と、
前記データ分離部により分離されたデータを復号する復号部と、
前記第２の識別情報検索部により識別情報が検出されたとき、前記データ分離部により分離されたデータを前記記録媒体の規格に準拠するフォーマットで多重化する、または、前記復号部により復号されたデータを、再符号化して、前記記録媒体の規格に準拠するフォーマットで多重化する多重化部とを備え、
前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とするデータ記録装置。
【請求項１２】
請求項９または１１に記載のデータ記録装置において、
前記第２の識別情報検索部は、前記第１の識別情報検索部が前記管理情報から識別情報を解釈する方法とは、別の解釈方法で、前記管理情報から識別情報を検索することを特徴とするデータ記録装置。
【請求項１３】
請求項９、１１、または１２のいずれかに記載のデータ記録装置において、
前記第２の識別情報検索部により検出された識別情報に示されるフォーマットに基づいて多重化データを再生する際に、前記多重化データの内容に基づいて、前記多重化データの再生方法を決定する再生方法決定部をさらに備えることを特徴とするデータ記録装置。
【請求項１４】
記録媒体から多重化データと、該多重化データの管理情報とを読み出す読み出しステップと、
前記管理情報から、前記多重化データ、および前記管理情報が、所定のフォーマットに基づいて記録されていることを示す識別情報を検索する第１の識別情報検索ステップと、
前記第１の識別情報検索ステップにより前記識別情報が検出されなかったとき、前記記録媒体とは別の種類の記録媒体の規格に準拠するフォーマットの識別情報を前記管理情報から検索する第２の識別情報検索ステップと、
前記第１の識別情報検索ステップまたは前記第２の識別情報検索ステップで検出された識別情報により示されるフォーマットに従って、前記多重化データを分離するデータ分離ステップと、
前記データ分離ステップで分離されたデータを復号する復号ステップとを含み、
前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とするデータ再生方法。
【請求項１５】
第１の機器、あるいは前記第１の機器と有線または無線で接続される複数の第２の機器で記録媒体に記録されている多重化データを再生するデータ再生方法において、
記録媒体から多重化データと、該多重化データの管理情報とを読み出す読み出しステップと、
前記管理情報から、前記多重化データ、および前記管理情報が、所定のフォーマットに基づいて記録されていることを示す識別情報を検索する識別情報検索ステップと、
前記識別情報検索ステップにて検出された識別情報により示されるフォーマットに従って、前記多重化データを分離する第１のデータ分離ステップと、
前記データ分離ステップにて分離されたデータを復号する復号ステップと、
前記識別情報検索ステップにて識別情報を検出できなかった第１の機器が、前記管理情報から識別情報を解釈できる前記第２の機器を検索する対応機器検索ステップと、
前記対応機器検索ステップにて検索された第２の機器に前記第１の機器が前記多重化データを送信する送信ステップと、
前記第２の機器が前記多重化データを分離する第２のデータ分離ステップと、
前記第１の機器が前記第２の機器から前記多重化データの分離データを受信する受信ステップとを含み、
前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とするデータ再生方法。
【請求項１６】
記録媒体から多重化データと、該多重化データの管理情報とを読み出す読み出しステップと、
前記管理情報から、前記多重化データ、および前記管理情報が、所定のフォーマットに基づいて記録されていることを示す識別情報を検索する第１の識別情報検索ステップと、
前記第１の識別情報検索ステップにより前記識別情報が検出されなかったとき、前記記録媒体とは別の種類の記録媒体の規格に準拠するフォーマットの識別情報を前記管理情報から検索する第２の識別情報検索ステップと、
前記第２の識別情報検索ステップで識別情報が検出されたとき、前記記録媒体の規格に準拠しないフォーマットでデータが多重化されている旨を示す情報を生成する処理ステップと、
前記処理ステップで生成された情報を前記記録媒体に書き込む書き込みステップとを含み、
前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とするデータ記録方法。
【請求項１７】
記録媒体から多重化データと、該多重化データの管理情報とを読み出す読み出しステップと、
前記管理情報から、前記多重化データ、および前記管理情報が、所定のフォーマットに基づいて記録されていることを示す識別情報を検索する第１の識別情報検索ステップと、
前記第１の識別情報検索ステップにより前記識別情報が検出されなかったとき、前記記録媒体とは別の種類の記録媒体の規格に準拠するフォーマットの識別情報を前記管理情報から検索する第２の識別情報検索ステップと、
前記第１の識別情報検索ステップまたは前記第２の識別情報検索ステップで検出された識別情報により示されるフォーマットに従って、前記多重化データを分離するデータ分離ステップと、
前記データ分離ステップで分離されたデータを復号する復号ステップと、
前記第２の識別情報検索ステップで識別情報が検出されたとき、前記データ分離ステップで分離されたデータを前記記録媒体の規格に準拠するフォーマットで多重化する、または、前記復号ステップで復号されたデータを、再符号化して、前記記録媒体の規格に準拠するフォーマットで多重化する多重化ステップと、
前記多重化ステップで多重化された多重化データを前記記録媒体に書き込む書き込みステップとを含み、
前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とするデータ記録方法。
【発明の詳細な説明】
【技術分野】
【０００１】
本発明は、光ディスクから多重化データを読み出して再生するデータ再生装置または光ディスクにデータを記録するデータ記録装置に関するものである。
【背景技術】
【０００２】
従来、記録媒体である光ディスクに記録されている多重化データを再生するデータ再生装置は、光ディスクの規格に準拠するフォーマットで多重化されたデータのみを再生していた（例えば、特許文献１）。
【０００３】
以下、従来のデータ再生装置について、図１９を用いて説明する。
図１９は、従来のデータ再生装置の動作を説明するためのフローチャート図である。
データ再生装置は、光ピックアップにより光ディスクにレーザーを照射し、その反射光から多重化データ及びその管理情報を読み出して再生する。再生時には、まず、光ディスクからの反射光により光ディスクの種類（mediaX）を判別する（ステップＳ１９０１）。次に、ステップＳ１９０１で判別した光ディスクの規格に準拠する標準規格フォーマットの識別情報（std_idc）を管理情報から検索し（ステップＳ１９０２）、識別情報（std_idc）の存在を判定する（ステップＳ１９０３）。標準規格フォーマットとは、符号化データを多重化する際の方式、あるいは、多重化データとともに格納される管理情報のフォーマットを規定するものである。例えば、ＢＤ（Blu-ray Disc）では、ＭＰＥＧ−２（Moving Picture  Expert  Group-２）で規格化されたトランスポートストリームにより動画や音声の符号化データを、プレイリスト、あるいは符号化データの属性情報などを含む管理情報とともに格納する。また、ＤＶＤ（Digital Versatile Disc）や、ＨＤ（High Definition）−ＤＶＤにおいては、ＭＰＥＧ−２のプログラムストリームにより符号化データを多重化し、管理情報のフォーマットもＢＤとは異なる。検索の結果、識別情報（std_idc）が検出された場合、この識別情報（std_idc）が示す標準規格フォーマットに基づいて、光ディスクに記録されている多重化データを再生すると決定し（ステップＳ１９０４）、多重化データから動画像や音声などの符号化データを分離して復号し、再生する（ステップＳ１９０５）。ここで、管理情報には、特定の再生時刻に対応する多重化データへアクセスするためのアドレス情報などがテーブルデータとして格納されるため、再生時には、まず管理情報を参照して、再生時刻に対応する多重化データを取得する。一方、ステップＳ１９０２での検索の結果、識別情報（std_idc）が検出されなかった場合、多重化データを再生せずに、処理を終了する。
【特許文献１】特開２００３−２２８９２２号公報
【発明の開示】
【発明が解決しようとする課題】
【０００４】
以上のように、従来のデータ再生装置では、光ディスクに記録されている多重化データを再生する際、光ディスクの規格に準拠する標準規格フォーマットでデータが多重化されていないと、その多重化データを再生することができなかった。しかし、追記型光ディスクまたは書き換え可能な光ディスクでは、パーソナルコンピュータなどの機器により、光ディスクの規格に準拠しないフォーマットでデータが多重化されて、記録されることがあった。この場合、従来のデータ再生装置では、光ディスクに記録された多重化データを再生することはできなかった。
【０００５】
本発明は、前記課題を解決するためになされたものであり、標準規格に準拠しないフォーマットで多重化された多重化データを光ディスクから再生することができるデータ再生装置を提供することを目的とする。
【課題を解決するための手段】
【０００６】
本発明の請求項１に係るデータ再生装置は、記録媒体に記録された多重化データを再生するデータ再生装置において、前記記録媒体から多重化データと、該多重化データの管理情報とを読み出す読み出し部と、前記管理情報から、前記多重化データ、および前記管理情報が、所定のフォーマットに基づいて記録されていることを示す識別情報を前記管理情報から検索する第１の識別情報検索部と、前記第１の識別情報検索部により識別情報が検出されなかった場合、前記記録媒体とは別の種類の記録媒体の規格に準拠し、かつ、前記データ再生装置で対応可能なフォーマットの識別情報を前記管理情報から検索する第２の識別情報検索部と、前記第１の識別情報検出部または前記第２の識別情報検索部により検出された識別情報により示されるフォーマットに従って、前記多重化データを分離するデータ分離部と、前記データ分離部が分離したデータを復号する復号部とを備え、前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とする。
【０００７】
本発明の請求項２に係るデータ再生装置は、記録媒体に記録された多重化データを再生するデータ再生装置において、前記記録媒体から多重化データと、該多重化データの管理情報とを読み出す読み出し部と、前記管理情報から、前記多重化データ、および前記管理情報が、所定のフォーマットに基づいて記録されていることを示す識別情報を検索する識別情報検索部と、前記識別情報検索部により検出された識別情報により示されるフォーマットに従って、前記多重化データを分離するデータ分離部と、前記データ分離部により分離されたデータを復号する復号部と、前記識別情報検索部により識別情報が検出されなかった場合、前記データ再生装置と有線または無線で接続可能で、前記管理情報から識別情報を解釈できる外部機器を検索する対応機器検索部と、前記対応機器検索部により検索された外部機器の中から、前記多重化データを送信する外部機器を決定する決定部と、前記決定部により決定された外部機器にデータを送信する送信部と、前記多重化データを送信した外部機器から、前記多重化データを分離した分離データを受信する受信部とを備え、前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とする。
【０００８】
本発明の請求項３に係るデータ再生装置は、請求項２に記載のデータ再生装置において、前記決定部は、ユーザからの指示を受け付ける機能を有し、ユーザーからの指示に基づいて、前記対応機器検索部により検索された外部機器の中から、前記多重化データを送信する外部機器を決定することを特徴とする。
【０００９】
本発明の請求項４に係るデータ再生装置は、請求項１または２に記載のデータ再生装置において、前記第２の識別情報検索部は、前記第１の識別情報検索部が前記管理情報から識別情報を解釈する方法とは、別の解釈方法で、前記管理情報から識別情報を検索することを特徴とする。
【００１０】
本発明の請求項５に係るデータ再生装置は、請求項１、２または４に記載のデータ再生装置において、前記第２の識別情報検索部により検出された識別情報に示されるフォーマットに基づいて多重化データを再生する場合に、前記多重化データの内容に基づいて、前記多重化データの再生方法を決定する再生方法決定部をさらに備えることを特徴とする。
【００１１】
本発明の請求項６に係るデータ再生装置は、請求項５に記載のデータ再生装置において、前記再生方法決定部は、前記管理情報に含まれる、多重化データ中の映像データまたは音声データの属性情報に基づいて、前記多重化データの再生方法を決定することを特徴とする。
【００１２】
本発明の請求項７に係るデータ再生装置は、請求項５に記載のデータ再生装置において、前記再生方法決定部は、前記管理情報に含まれる、前記多重化データに対する付加情報に基づいて、前記多重化データの再生方法を決定することを特徴とする。
【００１３】
本発明の請求項８に係るデータ再生装置は、請求項５に記載のデータ再生装置において、前記再生方法決定部は、ユーザーからの指示を受け付ける機能を有し、ユーザーからの指示に基づいて、前記多重化データの再生方法を決定することを特徴とする。
【００１４】
本発明の請求項９に係るデータ記録装置は、記録媒体にデータを記録するデータ記録装置において、前記記録媒体から多重化データと、該多重化データの管理情報とを読み出す読み出し部と、前記管理情報から、前記多重化データ、および前記管理情報が、所定のフォーマットに基づいて記録されていることを示す識別情報を検索する第１の識別情報検索部と、前記第１の識別情報検索部により識別情報が検出されなかった場合、前記記録媒体とは別の種類の記録媒体の規格に準拠し、かつ、前記データ記録装置で対応可能なフォーマットの識別情報を前記管理情報から検索する第２の識別情報検索部と、前記第２の識別情報検索部により識別情報が検出された場合、前記記録媒体の規格に準拠しないフォーマットに従って、データが多重化されている旨を示す情報を生成する処理部と、前記処理部が生成した情報を前記記録媒体に書き込む書き込み部とを備え、前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とする。
【００１５】
本発明の請求項１０に係るデータ記録装置は、請求項９に記載のデータ記録装置において、前記処理部は、前記記録媒体の規格に準拠しない不正なフォーマットに従って、データが多重化されている旨を示す情報、または、前記不正なフォーマットを特定するための情報を生成することを特徴とする。
【００１６】
本発明の請求項１１に係るデータ記録装置は、記録媒体にデータを記録するデータ記録装置において、前記記録媒体から多重化データと、該多重化データの管理情報とを読み出す読み出し部と、前記管理情報から、前記多重化データ、および前記管理情報が、所定のフォーマットに基づいて記録されていることを示す識別情報を検索する第１の識別情報検索部と、前記第１の識別情報検索部により識別情報が検出されなかった場合、前記記録媒体とは別の種類の記録媒体の規格に準拠し、かつ、前記データ記録装置で対応可能なフォーマットの識別情報を前記管理情報から検索する第２の識別情報検索部と、前記第１の識別情報検索部または前記第２の識別情報検索部により検出された識別情報により示されるフォーマットに従って、前記多重化データを分離するデータ分離部と、前記データ分離部により分離されたデータを復号する復号部と、前記第２の識別情報検索部により識別情報が検出された場合、前記データ分離部により分離されたデータを前記記録媒体の規格に準拠するフォーマットで多重化する、または、前記復号部により復号されたデータを、再符号化して、前記記録媒体の規格に準拠するフォーマットで多重化する多重化部とを備え、前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とする。
【００１７】
本発明の請求項１２に係るデータ記録装置は、請求項９または１１に記載のデータ記録装置において、前記第２の識別情報検索部は、前記第１の識別情報検索部が前記管理情報から識別情報を解釈する方法とは、別の解釈方法で、前記管理情報から識別情報を検索することを特徴とする。
【００１８】
本発明の請求項１３に係るデータ記録装置は、請求項９、１１、または１２に記載のデータ記録装置において、前記第２の識別情報検索部により検出された識別情報に示されるフォーマットに基づいて多重化データを再生する場合に、前記多重化データの内容に基づいて、前記多重化データの再生方法を決定する再生方法決定部をさらに備えることを特徴とする。
【００１９】
本発明の請求項１４に係るデータ再生方法は、記録媒体から多重化データと、該多重化データの管理情報とを読み出す読み出しステップと、前記管理情報から、前記多重化データ、および前記管理情報が、所定のフォーマットに基づいて記録されていることを示す識別情報を検索する第１の識別情報検索ステップと、前記第１の識別情報検索ステップにより前記識別情報が検出されなかった場合、前記記録媒体とは別の種類の記録媒体の規格に準拠するフォーマットの識別情報を前記管理情報から検索する第２の識別情報検索ステップと、前記第１の識別情報検索ステップまたは前記第２の識別情報検索ステップで検出された識別情報により示されるフォーマットに従って、前記多重化データを分離するデータ分離ステップと、前記データ分離ステップで分離されたデータを復号する復号ステップとを含み、前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とする。
【００２０】
また、本発明の請求項１５に係るデータ再生方法は、第１の機器、あるいは前記第１の機器と有線または無線で接続される複数の第２の機器で記録媒体に記録されている多重化データを再生するデータ再生方法において、記録媒体から多重化データと、該多重化データの管理情報とを読み出す読み出しステップと、前記管理情報から、前記多重化データ、および前記管理情報が、所定のフォーマットに基づいて記録されていることを示す識別情報を検索する識別情報検索ステップと、前記識別情報検索ステップにて検出された識別情報により示されるフォーマットに従って、前記多重化データを分離する第１のデータ分離ステップと、前記データ分離ステップにて分離されたデータを復号する復号ステップと、前記識別情報検索ステップにて識別情報を検出できなかった第１の機器が、前記管理情報から識別情報を解釈できる前記第２の機器を検索する対応機器検索ステップと、前記対応機器検索ステップにて検索された第２の機器に前記第１の機器が前記多重化データを送信する送信ステップと、前記第２の機器が前記多重化データを分離する第２のデータ分離ステップと、前記第１の機器が前記第２の機器から前記多重化データの分離データを受信する受信ステップとを含み、前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とする。
【００２１】
本発明の請求項１６に係るデータ記録方法は、記録媒体から多重化データと、該多重化データの管理情報とを読み出す読み出しステップと、前記管理情報から、前記多重化データ、および前記管理情報が、所定のフォーマットに基づいて記録されていることを示す識別情報を検索する第１の識別情報検索ステップと、前記第１の識別情報検索ステップにより前記識別情報が検出されなかった場合、前記記録媒体とは別の種類の記録媒体の規格に準拠するフォーマットの識別情報を前記管理情報から検索する第２の識別情報検索ステップと、前記第２の識別情報検索ステップで識別情報が検出された場合、前記記録媒体の規格に準拠しないフォーマットでデータが多重化されている旨を示す情報を生成する処理ステップと、前記処理ステップで生成された情報を前記記録媒体に書き込む書き込みステップとを含み、前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とする。
【００２２】
本発明の請求項１７に係るデータ記録方法は、記録媒体から多重化データと、該多重化データの管理情報とを読み出す読み出しステップと、前記管理情報から、前記多重化データ、および前記管理情報が、所定のフォーマットに基づいて記録されていることを示す識別情報を検索する第１の識別情報検索ステップと、前記第１の識別情報検索ステップにより前記識別情報が検出されなかった場合、前記記録媒体とは別の種類の記録媒体の規格に準拠するフォーマットの識別情報を前記管理情報から検索する第２の識別情報検索ステップと、前記第１の識別情報検索ステップまたは前記第２の識別情報検索ステップで検出された識別情報により示されるフォーマットで、前記多重化データを分離するデータ分離ステップと、前記データ分離ステップで分離されたデータを復号する復号ステップと、前記第２の識別情報検索ステップで識別情報が検出された場合、前記データ分離ステップで分離されたデータを前記記録媒体の規格に準拠するフォーマットで多重化する、または、前記復号ステップで復号されたデータを、再符号化して、前記記録媒体の規格に準拠するフォーマットで多重化する多重化ステップと、前記多重化ステップで多重化された多重化データを前記記録媒体に書き込む書き込みステップとを含み、前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることを特徴とする。
【発明の効果】
【００２３】
本発明の請求項１に係るデータ再生装置によれば、記録媒体に記録された多重化データを再生するデータ再生装置において、前記記録媒体から多重化データと、該多重化データの管理情報とを読み出す読み出し部と、前記管理情報から、前記多重化データ、および前記管理情報が、所定のフォーマットに基づいて記録されていることを示す識別情報を検索する第１の識別情報検索部と、前記第１の識別情報検索部により識別情報が検出されなかったとき、前記記録媒体とは別の種類の記録媒体の規格に準拠し、かつ、前記データ再生装置で対応可能なフォーマットの識別情報を前記管理情報から検索する第２の識別情報検索部と、前記第１の識別情報検出部または前記第２の識別情報検索部により検出された識別情報により示されるフォーマットに従って、前記多重化データを分離するデータ分離部と、前記データ分離部により分離されたデータを復号する復号部とを備え、前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることから、光ディスクに標準規格外フォーマットで多重化された多重化データが記録されている場合でも、前記標準規格外フォーマットがデータ再生装置で対応可能なフォーマットであれば、光ディスクから多重化データを読み出して再生することができる。
【００２４】
また、本発明の請求項２に係るデータ再生装置によれば、記録媒体に記録された多重化データを再生するデータ再生装置において、前記記録媒体から多重化データと、該多重化データの管理情報とを読み出す読み出し部と、前記管理情報から、前記多重化データ、および前記管理情報が、所定のフォーマットに基づいて記録されていることを示す識別情報を検索する識別情報検索部と、前記識別情報検索部により検出された識別情報により示されるフォーマットに従って、前記多重化データを分離するデータ分離部と、前記データ分離部により分離されたデータを復号する復号部と、前記識別情報検索部により前記識別情報が検出されなかったとき、前記データ再生装置と有線または無線で接続可能で、前記管理情報から識別情報を解釈できる外部機器を検索する対応機器検索部と、前記対応機器検索部により検索された外部機器の中から、前記多重化データを送信する外部機器を決定する決定部と、前記決定部により決定された外部機器にデータを送信する送信部と、前記多重化データを送信した外部機器から、前記多重化データを分離した分離データを受信する受信部とを備え、前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることから、識別情報を検出できなくても、標準規格外フォーマットで多重化された多重化データを光ディスクから再生することができる。
【００２５】
また、本発明の請求項５に係るデータ再生装置によれば、前記データ再生装置において、前記第２の識別情報検索部により検出された識別情報に示されるフォーマットに基づいて多重化データを再生する際に、前記多重化データの内容に基づいて、前記多重化データの再生方法を決定する再生方法決定部をさらに備えるようにしたので、標準規格外フォーマットに基づいて多重化データを再生するとき、通常再生できなくても、データ再生装置が対応可能な機能のみで多重化データを再生することができる。
【００２６】
また、本発明の請求項９に係るデータ記録装置によれば、記録媒体にデータを記録するデータ記録装置において、前記記録媒体から多重化データと、該多重化データの管理情報とを読み出す読み出し部と、前記管理情報から、前記多重化データ、および前記管理情報が、所定のフォーマットに基づいて記録されていることを示す識別情報を検索する第１の識別情報検索部と、前記第１の識別情報検索部により前記識別情報が検出されなかったとき、前記記録媒体とは別の種類の記録媒体の規格に準拠し、かつ、前記データ記録装置で対応可能なフォーマットの識別情報を前記管理情報から検索する第２の識別情報検索部と、前記第２の識別情報検索部により識別情報が検出されたとき、前記記録媒体の規格に準拠しないフォーマットでデータが多重化されている旨を示す情報を生成する処理部と、前記処理部が生成した情報を前記記録媒体に書き込む書き込み部とを備え、前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることから、標準規格外のフォーマットで多重化された多重化データが光ディスクに記録されているとき、その旨をユーザーに通知して、ユーザに対して標準規格フォーマットで多重化したデータを記録するように促すことができるとともに、当該光ディスクのデータを他のデータ再生装置で再生する際に、再生可否を容易に判定することができる。
【００２７】
また、本発明の請求項１１に係るデータ記録装置によれば、記録媒体にデータを記録するデータ記録装置において、前記記録媒体から多重化データと、該多重化データの管理情報とを読み出す読み出し部と、前記管理情報から、前記多重化データ、および前記管理情報が、所定のフォーマットに基づいて記録されていることを示す識別情報を検索する第１の識別情報検索部と、前記第１の識別情報検索部により前記識別情報が検出されなかったとき、前記記録媒体とは別の種類の記録媒体の規格に準拠し、かつ、前記データ記録装置で対応可能なフォーマットの識別情報を前記管理情報から検索する第２の識別情報検索部と、前記第１の識別情報検索部または前記第２の識別情報検索部により検出された識別情報により示されるフォーマットに従って、前記多重化データを分離するデータ分離部と、前記データ分離部により分離されたデータを復号する復号部と、前記第２の識別情報検索部により識別情報が検出されたとき、前記データ分離部で分離されたデータを前記記録媒体の規格に準拠するフォーマットで多重化する、または、前記復号部で復号されたデータを、再符号化して、前記記録媒体の規格に準拠するフォーマットで多重化する多重化部を備え、前記多重化データには、動画像及び音声の少なくとも一方の符号化データが多重化され、前記第１の識別情報に対応するフォーマットと、前記第２の識別情報に対応するフォーマットでは、前記符号化データを多重化する際の方式が異なることから、標準規格外のフォーマットで多重化された多重化データが光ディスクに記録されているとき、その多重化データを標準規格フォーマットに変換して光ディスクに記録することができる。
【発明を実施するための最良の形態】
【００２８】
（実施の形態１）
以下、本発明の各実施の形態について説明する。
図１は、本発明の実施の形態１に係るデータ再生装置の構成を示すブロック図である。図２、図３は、本発明の実施の形態１に係るデータ再生装置の動作を説明するためのフローチャート図である。
【００２９】
本発明の実施の形態１に係るデータ再生装置１００は、図１に示すように、読み出し部１０１と、第１の識別情報検索部１０２と、第２の識別情報検索部１０３と、データ分離部１０４と、復号部１０５と、表示部１０６とを備える。
【００３０】
本発明の実施の形態１に係るデータ再生装置１００は、光ピックアップ（図示せず）によりレーザーを光ディスク１０７に照射し、その反射光から光ディスク１０７に記録された多重化データとその管理情報とを読み出す。さらに、前記反射光により光ディスク１０７がデータ再生装置１００に対応しているかを判定する。
【００３１】
ここで、読み出し部１０１は、光ディスク１０７から多重化データと、その管理情報とを読み出し、管理情報を第１の識別情報検索部１０２に出力し、多重化データをデータ分離部１０４に出力する。第１の識別情報検索部１０２は、管理情報から光ディスク１０７の規格に準拠するフォーマットの識別情報、すなわち、標準規格フォーマットの識別情報（std_idc）を検索する。また、第１の識別情報検索部１０２は、識別情報（std_idc）を検出できなかった場合、管理情報を第２の識別情報検索部１０３に出力する。第２の識別情報検索部１０３は、データ再生装置１００で対応可能で、光ディスク１０７とは別の種類の光ディスクの規格に準拠する標準規格外フォーマットの識別情報（opt_idc）を管理情報から検索する。なお、データ再生装置１００で対応可能なフォーマットとは、該フォーマットに基づいて多重化データを再生できる旨を意味する。データ分離部１０４は、第１の識別情報検索部１０２が検出した識別情報（std_idc）または第２の識別情報検索部１０３が検出した識別情報（opt_idc）が示すフォーマットに基づいて、多重化データを分離する。なお、データ分離部１０４は、標準規格フォーマットで多重化された多重化データを分離する第１のデータ分離部と、データ再生装置１００で対応可能な標準規格外フォーマットで多重化された多重化データを分離する第２のデータ分離部とを有する。復号部１０５は、データ分離部１０４が分離した符号化データを復号する。表示部１０６は復号部１０５が復号した符号化データを出力する。
【００３２】
以下、前記識別情報について具体的に説明する。光ディスクではデータをファイルシステムで管理する。すなわち、データはファイル単位で管理され、さらに、使用目的や用途に合わせて分類・整理された一群のファイルがディレクトリとして管理される。よって、ファイルシステムの管理情報から、識別情報として、例えば、ファイル名、ディレクトリ名、あるいは拡張子の種類が検索される。また、識別情報の検索は、特定ファイル名のファイルにおいて、予め定められたバイト位置に格納されたデータを検索することでも良い。
【００３３】
次に、動作について、説明する。
図２に示すように、再生動作が開始されると、データ再生装置１００は、光ディスク１０７がデータ再生装置１００に対応する種類であるかどうかを判別する（ステップＳ２０１）。光ディスク１０７がデータ再生装置１００に対応する種類であると判別されると、読み出し部１０１は光ディスク１０７から管理情報を読み出す。第１の識別情報検索部１０２は管理情報から光ディスク１０７の規格に準拠する標準規格フォーマットの識別情報（std_idc）を検索し（ステップＳ２０２）、識別情報（std_idc）の存在を判定する（ステップＳ２０３）。ステップＳ２０３で識別情報（std_idc）が検出された場合、第１の識別情報検索部１０２は該識別情報により示される標準規格フォーマットで多重化データを再生すると決定する（ステップＳ２０４）。その後、読み出し部１０１から出力される多重化データを、データ分離部１０４が識別情報（std_idc）により示される標準規格フォーマットに基づいて分離し、分離データを復号部１０４が復号することで、光ディスクに記録された多重化データが再生される（ステップＳ２０５）。
【００３４】
一方、ステップＳ２０３で、識別情報（std_idc）が検出されなかった場合、第２の識別情報検索部１０３は、データ再生装置１００で対応可能な標準規格外フォーマットの識別情報（opt_idc）を検索し（ステップＳ２０６）、識別情報（opt_idc）の存在を判定する（ステップＳ２０７）。なお、ステップＳ２０６で、第２の識別情報検索部１０３は、識別情報（std_idc）の解釈方法と同じ方法で識別情報（opt_idc）を検索する。前記のように、光ディスク１０７にはデータがファイル単位で管理されていることから、ファイルシステムが同じであれば、管理情報から同じ解釈方法でファイル名、ディレクトリ名等の識別情報（opt_idc）を検索することができる。ステップＳ２０７で識別情報（opt_idc）が検出された場合、第２の識別情報検索部１０３は識別情報（opt_idc）により示される標準規格外フォーマットで多重化データを再生すると決定する（ステップＳ２０８）。そして、ステップＳ２０５で多重化データが再生される。一方、ステップＳ２０７で識別情報（opt_idc）が検出されなかった場合、表示部１０６は光ディスク１０７に記録された多重化データが再生できない旨を示す警告メッセージを表示画面に表示する（ステップＳ２０９）。
【００３５】
なお、前記説明では、第２の識別情報検索部１０３は、識別情報（std_idc）の解釈方法と同じ方法で識別情報（opt_idc）を検索するものとしているが、第２の識別情報検索部１０３は、識別情報（std_idc）の解釈方法とは異なる方法で識別情報（opt_idc）を検索すものでも良く、この場合について図３を用いて説明する。この場合、第２の識別情報検索部１０３には、標準規格フォーマットに対応するファイルシステムとは異なるファイルシステムの管理情報から識別情報を解釈する方法が設定されている。なお、図３において、図２と同じ処理ステップについては同一符号を付し説明を省略する。
【００３６】
図３に示すステップＳ２０３で、第１の標準識別情報検索部１０２が識別情報（std_idc）を検出できなかった場合、第２の識別情報検索部１０３は、データ再生装置１００で対応可能な標準規格外のフォーマットの識別情報（opt_idc）を、識別情報（std_idc）を解釈した方法で検索できるかを判定する（ステップＳ３０１）。ステップＳ３０１の判定の結果、同じ解釈方法で検索可能な場合は、処理はステップＳ２０６に移行する。一方、同じ解釈方法で検索不可能な場合、第２の識別情報検索部１０３は、識別情報（opt_idc）を予め設定されている別の解釈方法で検索可能かの判定を行う（ステップＳ３０２）。ステップＳ３０２の判定の結果、別の解釈方法で検索可能である場合は、識別情報（opt_idc）を検索しする（ステップＳ３０３）。その後、処理はステップＳ２０７に移行する。ステップＳ２０７以降の処理は、図２のフローで示す処理と同様であるので説明を省略する。
【００３７】
次に、ＢＤの再生に対応したデータ再生装置１００において、書き換え型のＢＤディスクであるＢＤ−ＲＥ（Recording）の光ディスクに、ＤＶＤ−ＲＡＭ（Random Access  Memory）の記録フォーマットで記録されたデータを再生する際の動作について説明する。なお、データ再生装置１００は、ＤＶＤ−ＲＡＭ規格データも再生できるものとする。図２０は、ＢＤ−ＲＥ、およびＤＶＤ−ＲＡＭのファイルシステムにおけるディレクトリ構造を示す図である。図２０（ａ）に示すように、ＢＤ−ＲＥ規格準拠のフォーマットでは、ＢＤ.ＩＮＦＯと呼ばれるＢＤディスク全体に関する情報を記録したファイルが必ず存在する。そのため、標準規格フォーマットの識別情報（std_idc）としては、ＢＤ.ＩＮＦＯというファイル名を使用する。次に、図２０（ｂ）に示すように、ＤＶＤ−ＲＡＭ規格準拠のフォーマットでは、ＶＲ＿ＭＡＮＡＧＥＲ.ＩＦＯと呼ばれるファイルが必ず存在するため、標準規格外フォーマットの識別情報（opt_idc）として、ＶＲ＿ＭＡＮＡＧＥＲ.ＩＦＯというファイル名を使用する。データ再生装置１００は、まず、ステップＳ２０３において、ＢＤ用のファイルシステムであるＢＤＦＳ（Blu-ray Disc File System）に基づいてＢＤ.ＩＮＦＯを検索し、ステップＳ３０１に進む。ＤＶＤ―ＲＡＭのファイルシステムは、ＵＤＦ（Universal Disk Format）であり、ＢＤ−ＲＥとは異なるため、ステップＳ３０１において、std_idcとは異なる解釈方法により標準規格外フォーマットの識別情報を検索すると判定し、ステップＳ３０２においてＶＲ＿ＭＡＮＡＧＥＲ.ＩＦＯを検索する。その後、ＤＶＤ−ＲＡＭ規格のフォーマットに基づいてデータを再生すると決定し、ＤＶＤ−ＲＡＭにおける管理情報、およびプログラムストリーム内のヘッダ情報を解析することにより、プログラムストリームから符号化データを分離して再生する。なお、ＢＤ−ＲＥにおいても、将来的にＵＤＦがサポートされれば、ＤＶＤ−ＲＡＭと同様の解釈方法により識別情報を検索できる。また、本手法は、ＢＤ−ＲＯＭ、ＨＤ−ＤＶＤなど上記以外の方式にも適用できる。
【００３８】
以上のように、本発明の実施の形態１に係るデータ再生装置は、光ディスクに記録されている多重化データを再生する際に、光ディスクに対応する標準規格フォーマットの識別情報（std_idc）を検出できなかった場合、データ再生装置で対応可能な標準規格外フォーマットの識別情報（opt_idc）を検索するようにしたので、標準規格外フォーマットで多重化されたデータが光ディスクに記録されている場合でも、前記標準規格外フォーマットがデータ再生装置で対応可能なフォーマットであれば、光ディスクから多重化データを再生することができる。
【００３９】
なお、前記実施の形態１では、データ再生装置１００は、第１の識別情報検索部１０２が識別情報（std_idc）に示されるフォーマットに基づいてデータを再生すると決定し、第２の識別情報検索部１０３が識別情報（opt_idc）に示されるフォーマットに基づいてデータを再生すると決定すると説明したが、本発明はこれに限るものではなく、データ再生装置１００は、第２の識別情報検索部１０３の後段に再生フォーマット決定部を備え、これが、識別情報（std_idc）または識別情報（opt_idc）が存在したかどうかに基づいて、識別情報（std_idc）または識別情報（opt_idc）に示されるフォーマットでデータを再生すると決定するものでも良い。
【００４０】
（実施の形態２）
図４は本発明の実施の形態２に係るデータ再生装置の構成を示すブロック図である。図５、図６は本発明の実施の形態２に係るデータ再生装置の動作を説明するためのフローチャート図である。
【００４１】
図４に示す本発明の実施の形態２に係るデータ再生装置４００は再生方法決定部４０１を備える点で、図１に示すデータ再生装置１００と異なる。その他の構成要素については図１に示すデータ再生装置１００と同様であるので説明を省略する。
【００４２】
第２の識別情報検索部１０３が検出した識別情報（opt_idc）に示される標準規格外フォーマットで多重化データを再生する場合、再生方法決定部４０１は、多重化データの内容に基づいて、多重化データの再生方法を決定する。具体的には、管理情報に含まれる、映像データ、音声データ、テキストデータ等の属性情報、または、多重化データに対する付加情報に基づいて、データを通常再生するか、再生可能なデータをデータ再生装置４００が対応する機能のみで限定再生するかを決定する。
【００４３】
以下、まず、属性情報について詳細に説明する。属性情報とは、多重化データ中の映像データ、音声データ、テキストデータ等の属性を示す情報であり、具体的には、符号化方式、プロファイル、レベル等が挙げられる。プロファイルは、主に符号化に使用するツールの機能を制限する区分であり、レベルは取り扱えるビットレート、画像サイズ、バッファサイズの範囲など、主に数値パラメーターによる区分である。
【００４４】
例えば、識別情報（std_idc）に準拠する動画像の符号化方式が符号化方式ＡとＢの２種類で、識別情報（opt_idc）に準拠する符号化方式が符号化方式ＢとＣの２種類の場合、再生方法決定部４０１は、光ディスクに記録されているデータが符号化方式Ｂで符号化されている場合は再生すると決定し、符号化方式Ｃで符号化されている場合は再生しないと決定する。一般に、ＭＰＥＧ−２  Ｖｉｄｅｏは多くの光ディスク機器においてサポートされているため、例えば、std_idcに対応する符号化方式が、ＭＰＥＧ−２  ＶｉｄｅｏとＭＰＥＧ−４  ＡＶＣ（Ａｄｖａｎｃｅｄ  Ｖｉｄｅｏ  Ｃｏｄｉｎｇ）であり、opt_idcに対応する方式がＭＰＥＧ−２  ＶｉｄｅｏとＷＭＶ９（マイクロソフト社の符号化方式）である場合には、符号化方式がＭＰＥＧ−２  Ｖｉｄｅｏである場合にのみ動画像を再生すると決定する。
【００４５】
さらに、例えば、識別情報（std_idc）に準拠する規格が符号化方式Ｂのプロファイル１に対応し、識別情報（opt_idc）に準拠する規格では符号化方式Ｂのプロファイル１，２に対応する場合、再生方法決定部４０１は、光ディスク１０７に記録されているデータ（例えば、映像データ）のプロファイルが「１」の場合は再生すると決定し、プロファイルが「２」の場合は再生しないと決定する。例えば、どちらもＭＰＥＧ−４  ＡＶＣに対応する際に、std_idcに対応するプロファイルがＭａｉｎプロファイルであり、opt_idcに対応するプロファイルがＭａｉｎプロファイルとＨｉｇｈプロファイルである際には、Ｍａｉｎプロファイルで符号化されている場合にのみ再生する。
【００４６】
さらに、例えば、識別情報（std_idc）に準拠する規格が符号化方式Ｂのプロファイル１のレベル１に対応し、識別情報（opt_idc）に準拠する規格が符号化方式Ｂのプロファイル１のレベル２（レベル１を包含）に対応する場合、再生方法決定部４０１は、光ディスク１０７に記録されているデータ（例えば、映像データ）のレベルが「１」であれば再生すると決定し、レベルが「２」の場合は再生しないと決定する。
【００４７】
なお、動画像が再生できないときには多重化データの再生自体を行わない、あるいは、動画像が再生できるが音声が再生できないときには動画像のみを再生するなどの再生動作を予め設定しておいてもよい。
【００４８】
次に、付加情報について詳細に説明する。付加情報としては、特殊再生に関する情報、プレイリスト、データ再生装置が対応するアプリケーションの情報、メタ情報が挙げられる。
【００４９】
特殊再生とは、逆再生、早送り再生、あるいはマルチアングル、シームレス再生等の通常再生以外の再生方法であり、識別情報（opt_idc）に準拠する規格の管理情報に基づいた特殊再生にデータ再生装置４００が対応しているかどうかにより、再生方法決定部４０１は再生方法を決定する。
【００５０】
また、プレイリストとは、映像データ、音声データ等を再生する順序を規定するリストであり、プレイリストを用いた高度再生にデータ再生装置４００が対応しているかどうかにより、再生方法決定部４０１は再生方法を決定する。
【００５１】
また、メタ情報とは、時間軸に沿って映像の内容を説明するための情報であり、登場人物の情報、各クリップのあらすじ等のメタ情報の取得、または表示に対応しているかにより、再生方法決定部４０１は再生方法を決定する。
【００５２】
また、データ再生装置４００が対応するアプリケーション（例えば、Ｊａｖａ（登録商標）等）によっても、再生方法決定部４０１は再生方法を決定する。
【００５３】
次に動作について、図５を用いて説明する。なお、図５において、図２に示す処理ステップと同一処理ステップについては、同一符号を付し説明を省略する。
【００５４】
まず、図２に示すフローと同様に、データ再生装置４００は、ステップＳ２０１〜ステップＳ２０７までの処理を行う。ステップＳ２０７において、光ディスク１０７から読み出した管理情報から識別情報（opt_idc）が検出された場合、再生方法決定部４０１は、この識別情報（opt_idc）により示される標準規格外フォーマットに基づいて、データ再生装置４００でデータを通常再生するか、または、再生可能なデータをデータ再生装置４００で対応可能な機能のみで限定再生するかを決定する。再生方法決定部４０１は、ステップＳ５０１で、通常再生できると判定した場合、標準規格外フォーマットに基づいてデータを通常再生すると決定する（ステップＳ５０２）。そして、標準規格外フォーマットに基づいてデータ分離部１０４が多重化データを分離し、復号部１０６が分離データを復号することで、通常再生が行われる。
【００５５】
一方、ステップＳ５０１で、通常再生できないと判定した場合、再生方法決定部４０１は、標準規格外フォーマットに基づいて再生可能なデータのみを限定再生すると決定する（ステップＳ５０３）。そして、表示部１０６は限定再生する旨を示す警告メッセージを表示画面に表示する（ステップＳ５０４）。その後、再生可能なデータを、標準規格外フォーマットに基づいてデータ分離部１０４が多重化データから分離し、復号部１０６が分離データを復号することで、限定再生が行われる（ステップＳ５０５）。
【００５６】
なお、前記説明では、第２の識別情報検索部１０３は、識別情報（std_idc）の解釈方法と同じ方法で標準規格外フォーマットの識別情報（opt_idc）を検索するものとしているが、第２の識別情報検索部１０３は、識別情報（std_idc）の解釈方法とは異なる方法で標準規格外フォーマットの識別情報（opt_idc）を検索するものでも良く、この場合について図６を用いて説明する。この場合、第２の識別情報検索部１０３には、標準規格フォーマットに対応するファイルシステムとは異なるファイルシステムの管理情報から識別情報を解釈する方法が設定されている。なお、図６において、図３、図５と同じ処理ステップについては同一符号を付し詳細な説明を省略する。
【００５７】
図６に示すステップＳ２０３で、第１の標準識別情報検索部１０２が識別情報（std_idc）を検出できなかった場合、第２の識別情報検索部１０３は、ステップＳ３０１で、データ再生装置４００で対応可能な標準規格外のフォーマットの識別情報（opt_idc）を、識別情報（std_idc）を解釈した方法で検索できるかを判定する。ステップＳ３０１の判定の結果、同じ解釈方法で検索可能な場合、処理はステップＳ２０６に移行する。一方、第２の識別情報検索部１０３は、同じ解釈方法で検索不可能な場合、ステップＳ３０２で、予め設定されている別の解釈方法で識別情報（opt_idc）を検索可能かの判定を行う。ステップＳ３０２の判定の結果、別の解釈方法で検索可能である場合は、ステップＳ３０３で、識別情報（opt_idc）を検索する。その後、処理はステップＳ２０７に移行する。ステップＳ２０７以降の処理は、図５のフローに示す処理と同様であるので説明を省略する。
【００５８】
以上のように、本発明の実施の形態２に係るデータ再生装置は、光ディスクに記録されている多重化データを再生する際に、光ディスクに対応する標準規格フォーマットの識別情報（std_idc）を検出できなかった場合、データ再生装置で対応可能な標準規格外フォーマットの識別情報（opt_idc）を検索し、さらに、データ再生装置で対応可能な標準規格外フォーマットで多重化データを再生する場合、多重化データ中の映像データ、音声データ、テキストデータ等の属性情報、または多重化データに対する付加情報に応じて、通常再生するか限定再生するかを決定するようにしたので、標準規格外フォーマットに基づいて多重化データを再生する場合、通常再生できなくても、データ再生装置が対応可能な機能のみで多重化データを再生することができる。
【００５９】
なお、実施の形態２においては、再生方法決定部４０１が再生方法を決定するようにしたが、再生方法決定部４０１がユーザーからの指示４０２を受け付ける機能を有するようにし、ユーザーからの指示に基づいて再生方法を決定するようにしても良い。この場合、ステップＳ５０４にて、表示部１０６が再生可能なデータを示す情報を表示画面に表示する。これにより、ユーザーは表示画面を見て限定再生するか否か、及びデータ再生装置が対応する機能でデータを再生するかを決定することが可能になる。
【００６０】
（実施の形態３）
図７は、本発明の実施の形態３に係るデータ記録再生装置７００の構成を示すブロック図であり、図４に示すデータ再生装置４００と同一構成要素については同一符号を付す。また、図８、図９は、本発明の実施の形態３に係るデータ記録再生装置の動作を説明するためのフローチャート図である。
【００６１】
図７において、データ記録再生装置７００は、処理部７０１と書き込み部７０２とを備える。その他の構成要素については、図４に示すデータ再生装置４００と同様であるので、説明を省略する。処理部７０１は、第２の識別情報検索部１０３から識別情報（opt_idc）を入力する。そして、識別情報（opt_idc）に基づいて、光ディスク１０７に標準規格外フォーマットで多重化されたデータが記録されている旨を示す情報を生成し、書き込み部７０２に出力する。この情報は、標準規格外の不正なフォーマットで多重化されたデータが記録されていることを示す情報、または、実際に使用されているフォーマットを示す情報である。書き込み部７０２は、処理部７０１からの情報を光ディスクに書き込む。
【００６２】
次に動作について、説明する。
まず、データ再生装置７００は、図５に示すステップＳ２０１〜ステップＳ２０７、ステップＳ２０９、ステップＳ５０１〜ステップＳ５０５の処理、または図６に示すステップＳ２０１〜ステップＳ２０７、ステップＳ２０９、ステップＳ３０１〜ステップＳ３０３、ステップＳ５０１〜ステップＳ５０５の処理を行い、再生動作を行う。
【００６３】
そして、処理部７０１は、識別情報（opt_idc）が存在したかどうかに基づいて、標準規格外フォーマットで多重化されたデータが光ディスク１０７に記録されているかを判定する（ステップＳ８０１）。標準規格外フォーマットで多重化されたデータが記録されている場合、処理部７０１は、識別情報（opt_idc）に基づいて、標準規格外の不正なフォーマットで多重化されたデータが記録されていることを示す情報、または、実際に使用されているフォーマットを示す情報を生成し（ステップＳ８０２）、書き込み部７０２に出力する。なお、この場合、処理部７０１は前記不正なフォーマットが準拠する規格を特定するための情報を出力してもよい。書き込み部７０２は、処理部７０１からの情報を予め定められたデータ構造に従って光ディスク１０７に書き込む（ステップＳ８０３）。
【００６４】
以上のように、本発明の実施の形態３に係るデータ記録再生装置は、標準規格外のフォーマットで多重化されたデータが光ディスクに記録されている場合、標準規格外の不正なフォーマットで多重化されたデータが記録されていることを示す情報、または、実際に使用されているフォーマットを示す情報を光ディスクに書き込むようにした。これにより、標準規格外の不正なフォーマットで多重化されたデータが光ディスクに記録されていること、または、実際に使用されているフォーマットをユーザーに通知し、ユーザに対して標準規格フォーマットで多重化したデータを記録するように促すことができるとともに、当該光ディスクのデータを他のデータ再生装置で再生する際に、再生可否を容易に判定することができる。
【００６５】
なお、実施の形態３では、再生方法決定部４０１を備える場合について説明したが、再生方法決定部４０１は必ずしも備える必要はない。再生方法決定部４０１を備えない場合、データ再生装置７００は、図２に示すステップＳ２０１〜ステップＳ２０９の処理、または図３に示すステップＳ２０１〜ステップＳ２０９、ステップＳ３０１〜ステップＳ３０３の処理を行った後、図８に示すステップＳ８０１〜ステップＳ８０３の処理を行う。
【００６６】
また、実施の形態３では、図８に示すように、処理部７０１が情報を生成し、該情報を書き込み部７０２が光ディスクに書き込む処理を、再生処理の後に行う場合について説明したが、これらの処理はステップＳ２０７（図２、図３、図５、図６）で“ｙｅｓ”と判定された後の次のステップで行うようにしても良い。
【００６７】
（実施の形態４）
図９は、本発明の実施の形態４に係るデータ記録再生装置の構成を示すブロック図であり、図７に示すデータ記録再生装置７００と同一構成要素については同一符号を付す。また、図１０は、本発明の実施の形態４に係るデータ記録再生装置の動作を説明するためのフローチャート図で、図８に示す処理ステップと、同一処理ステップについては同一符号を付す。
【００６８】
図９に示すデータ記録再生装置９００は、処理部７０１に代えて多重化部９０１を備える点で、図７に示すデータ記録再生装置７００と異なる。多重化部９０１は、識別情報（opt_idc）で示される標準規格外フォーマットで多重化されているデータを、標準規格フォーマットで多重化する。具体的には、第２の識別情報検索部１０３から識別情報（opt_idc）が入力されると、多重化部９０１はデータ分離部１０４から分離データとヘッダ情報を受け取って多重化する。または、多重化部９０１は、復号データを復号部１０５から受け取って、標準規格フォーマットに対応する符号化方式で再符号化して、再符号化データとヘッダ情報とを標準規格フォーマットで多重化する。なお、復号データを多重化する場合は、多重化部９０１が、ヘッダ情報を生成するようにしても良いし、データ分離部１０４から受け取っても良い。多重化データは書き込み部９０２が光ディスク１０７に書き込む。なお、その他の構成要素の動作については、図７に示すデータ記録再生装置と同様であるので、説明を省略する。
【００６９】
次に動作について説明する。
まず、図５に示すステップＳ２０１〜ステップＳ２０７、ステップＳ２０９、ステップＳ５０１〜ステップＳ５０５の処理か、または図６に示すステップＳ２０１〜ステップＳ２０７、ステップＳ２０９、ステップＳ３０１〜ステップＳ３０３、ステップＳ５０１〜ステップＳ５０５の処理を行い、再生動作を行う。
【００７０】
そして、ステップＳ８０１で、多重化部９０１は、識別情報（opt_idc）が存在したかどうかに基づいて、識別情報（opt_idc）により示される標準規格外フォーマットで多重化されたデータが光ディスク１０７に記録されているかを判定する。標準規格外フォーマットで多重化されたデータがある場合、多重化部９０１は、データ分離部１０３から分離データとヘッダ情報とを受け取って、標準規格フォーマットで分離データとヘッダ情報とを多重化する。または、多重化部９０１は、復号部１０５から出力された復号データを標準規格フォーマットに対応する符号化方式で再符号化し、符号化データとヘッダ情報とを標準規格フォーマットで多重化する（ステップＳ１００１）。多重化部９０１により多重化されたデータは書き込み部９０２が光ディスク１０７に書き込む（ステップＳ１００２）。
【００７１】
以上のように、本発明の実施の形態４に係るデータ記録再生装置は、対応可能な標準規格外のフォーマットで光ディスクに多重化データが記録されている場合、前記多重化データの分離データとヘッダ情報を標準規格フォーマットで多重化する。または、復号データを標準規格フォーマットに対応する符号化方式で再符号化し、符号化データとヘッダ情報とを標準規格フォーマットで多重化する処理を行い、多重化データを、光ディスクに書き込むようにした。これにより、多重化データが光ディスクに標準規格外のフォーマットで記録されている場合、その多重化データを標準規格フォーマットに変換して光ディスクに記録することができる。
【００７２】
なお、実施の形態４では、再生方法決定部４０１を備える場合について説明したが、再生方法決定部４０１は必ずしも備える必要はない。再生方法決定部４０１を備えない場合は、データ再生装置７００は、図２に示すステップＳ２０１〜ステップＳ２０９の処理、または図３に示すステップＳ２０１〜ステップＳ２０９、ステップＳ３０１〜ステップＳ３０３の処理を行った後、図１０に示すステップＳ８０１、ステップＳ１００１〜ステップＳ１００２の処理を行う。
【００７３】
また、実施の形態４では、多重化部９０１が多重化したデータを光ディスク１０７に記録するようにしたが、光ディスク１０７とは別の種類の光ディスクに記録するようにしても良い。その場合、多重化部９０１は光ディスクに対応する規格準拠のフォーマットで多重化データを記録する。
【００７４】
また、実施の形態４では、書き込み部９０２が多重化部９０１の出力データを光ディスクに記録するようにしたが、多重化部９０１の出力データを一旦ハードディスクやメモリに保存しておき、多重化処理の完了後に保存しておいたデータを光ディスクに書き込んでもよい。
【００７５】
また、実施の形態４では、図１０に示すように、データを多重化し、多重化データを書き込む処理をステップＳ２０５（図２、図３、図５、図６）の処理の後に行う場合について説明したが、これらの処理はステップＳ２０７（図２、図３、図５、図６）で“ｙｅｓ”と判定された後の次のステップで行うようにしても良い。
【００７６】
（実施の形態５）
図１１は、本発明の実施の形態５に係るデータ記録再生装置の構成を示すブロック図であり、図１に示すデータ再生装置１００と同一構成要素については同一符号を付す。また、図１２は、本発明の実施の形態５に係るデータ再生装置の動作を説明するためのフローチャート図で、図２に示す処理ステップと、同一処理ステップについては同一符号を付す。
【００７７】
図１１に示すように、データ再生装置１１００は、読み出し部１０１と、第１の識別情報検索部１０２と、データ分離部１０４と、復号部１０５と、表示部１０６と、対応機器検索部１１０１と、分離先決定部１１０２と、送信部１１０３と、受信部１１０４とを備える。
【００７８】
第１の識別情報検索部１０２は読み出し部１０１が読み出した管理情報から識別情報（std_idc）を検索する。第１の識別情報検索部１０２は、識別情報（std_idc）を検出できなかった場合、管理情報を対応機器検索部１１０１に出力する。このとき、管理情報のデータを全て出力するのではなく、ファイル名、ディレクトリ名などデータが多重化されたフォーマットを識別する際に必要な情報のみを出力してもよい。対応機器検索部１１０１は、第１の識別情報検索部１０２から管理情報を入力すると、データ再生装置１１００に有線または無線で接続可能で、管理情報から識別情報（opt_idc）を解釈可能な外部機器を検索する。なお、データ再生装置１１００は、上記のものに限らず、外部機器が解釈可能なフォーマットについての情報を予め保持しているものでも、あるいは識別情報（opt_idc）に対応するフォーマットが解釈可能であるかどうかを再生時に問い合わせるものでもよい。また、外部機器の一例としては本データ再生装置１１００以外のデータ再生装置が挙げられる。分離先決定部１１０２は、対応機器検索部１１０１が検索した外部機器の中から多重化データを送信する外部機器１１０５を決定する。送信部１１０３は多重化データを外部機器１１０５に送信する。受信部１１０４は、外部機器１１０５が多重化データから分離した再生用データを受信する。ここでは、再生用データは、復号後のデータとするが、データ再生装置１１００が識別情報（opt_idc）に対応するフォーマットにより多重化された符号化データの復号に対応していると判定できる際には、再生用データとして符号化データを用いてもよい。なお、再生用データが符号化データである際にのみ、受信部１１０４から復号部１０５へのデータ入力が行われる。
【００７９】
次に動作について説明する。
ステップＳ２０１〜ステップＳ２０５までの処理は、図２に示す処理と同様であるので説明を省略する。
【００８０】
ステップＳ２０３で、第１の識別情報検索部１０２は、管理情報から識別情報（std_idc）を検出できなかった場合、管理情報を対応機器検索部１１０１に出力する。対応機器検索部１１０１は、管理情報から識別情報（opt_idc）を解釈可能な外部機器を検索する（ステップＳ１２０１）。例えば、管理情報を外部機器に有線または無線を介して送信し、外部機器からの応答により識別情報（opt_idc）が解釈可能な外部機器を特定する。
【００８１】
識別情報（opt_idc）を解釈可能な外部機器が存在した場合（ステップＳ１２０２）、分離先決定部１１０２は、それらの外部機器から多重化データを送信する外部機器１１０５を決定する（ステップＳ１２０３）。外部機器１１０５が決定されると、送信部１１０３が多重化データを送信する（ステップＳ１２０４）。外部機器１１０５は多重化データを受信すると、多重化データを分離、または分離、復号して再生用データとしてデータ再生装置１１００に送信する。受信部１１０４は外部機器１１０５から送信された再生用データを受信する（ステップＳ１２０５）。この再生用データは、分離データ（符号化データ）または復号済みデータである。受信部１１０４は、受信データが符号化データの場合は復号部１０６に、受信データが復号済みデータの場合は表示部１０６に、受信データを出力する。一方、ステップＳ１２０２で、識別情報（opt_idc）を解釈可能な外部機器を検出できなかった場合は、多重化データを再生できない旨を示す警告メッセージを表示部１０６が表示画面に表示する（ステップＳ１２０６）。
【００８２】
以上のように、本発明の実施の形態５に係るデータ再生装置は、光ディスクに記録された多重化データを再生する際に、光ディスクに記録された管理情報から標準規格フォーマットの識別情報（std_idc）が検出できない場合、標準規格外フォーマットの識別情報（opt_idc）を解釈可能な外部機器を検索するようにした。そして、解釈可能な外部機器１１０５に多重化データを送信し、外部機器１１０５から多重化データを分離した再生用データを受信するようにした。これにより、識別情報（std_idc）を検出できなくても、光ディスクから標準規格外フォーマットで多重化された多重化データを再生することができる。
【００８３】
なお、実施の形態５において、データ再生装置１１００は、分離先決定部１１０２が多重化データを送信する外部機器を決定するものであるが、分離先決定部１１０２がユーザからの指示１１０６を受け付ける機能を有し、ユーザからの指示に基づいて、多重化データを送信する外部機器を決定するものでも良い。この場合、表示部１０６は対応機器検索部１１０１が検索した外部機器を表示画面に一覧表示するようにする。
また、図１１に示すデータ再生装置１１００は、受信部１１０４が受信した再生用データを標準規格フォーマットで多重化する多重化部を備えるものでも良い。
【００８４】
（実施の形態６）
図１３は、本発明の実施の形態６に係るデータ再生装置の構成を示すブロック図であり、図１、１１に示すデータ再生装置と同一構成要素について同一符号を付す。また、図１４は、本発明の実施の形態６に係るデータ再生装置の動作を説明するためのフローチャート図であり、図２，１２に示す処理ステップと同一処理ステップについては同一符号を付す。
【００８５】
本発明の実施の形態６に係るデータ再生装置１３００は、図１３に示すように、第２の識別情報検索部１０３を備える点で、図１１に示すデータ再生装置１１００と異なる。本発明の実施の形態６に係るデータ再生装置１３００では、第１の識別情報検索部１０２が識別情報（std_idc）を検索できなかった場合、第２の識別情報検索部１０３が、管理情報からデータ再生装置１３００で対応可能な標準規格外フォーマットの識別情報（opt_idc）を検索する。そして、識別情報（opt_idc）を検索できなかった場合、管理情報を対応機器検索部１１０１に出力する。対応機器検索部１１０１は、第２の識別情報検索部１０３から管理情報を入力すると、データ再生装置１３００に有線または無線で接続可能で、管理情報から識別情報（opt_idc）が検索可能な外部機器を決定する。その他の構成要素については、データ再生装置１１００と同様であることから説明を省略する。
【００８６】
次に動作について説明する。
ステップＳ２０１〜ステップＳ２０５までの処理は、図１に示す処理と同様であるので説明を省略する。
【００８７】
ステップＳ２０３において、第１の識別情報検索部１０２が管理情報から識別情報（std_idc）を検出できなかった場合、第２の識別情報検索部１０３は管理情報からデータ再生装置１３００で対応可能な標準規格外フォーマットの識別情報（opt_idc）を検索可能か判定する（ステップＳ１４０１）。検索可能である場合、図２に示すステップＳ２０５〜ステップＳ２０８の処理を行う。すなわち、第２の識別情報検索部１０３が識別情報（opt_idc）を検出した場合、識別情報（opt_idc）が示すフォーマットで多重化データを分離し、分離したデータを復号する。また、識別情報（opt_idc）が存在しなかった場合、多重化データが再生できない旨を示す警告メッセージを表示部１０６が表示画面に表示する。
【００８８】
一方、ステップＳ１４０１で第２の識別情報検索部１０３が管理情報から識別情報（opt_idc）を検索できないと判定した場合、図１２に示すステップＳ１２０１〜ステップＳ１２０６の処理が行われる。
【００８９】
すなわち、まず、対応機器検索部１１０１が、管理情報から識別情報（opt_idc）を解釈できる外部機器を検索する。次に、識別情報（opt_idc）を解釈可能な外部機器が存在した場合、分離先決定部１１０２がそれらの外部機器の中から多重化データを送信する外部機器１１０５を決定する。外部機器１１０５が決定されると、送信部１１０３が多重化データを送信する。その後、外部機器１１０５から送信される再生用データを受信部１１０４が受信する。そして、ステップＳ２０５で再生用データを再生する。一方、識別情報（opt_idc）を解釈可能な外部機器を検索できなかった場合は、多重化データが再生できない旨を示す警告メッセージを表示部１０６が表示画面に表示する。
【００９０】
前記説明では、第２の識別情報検索部１０３は、識別情報（std_idc）の解釈方法と同じ方法で標準規格外フォーマットの識別情報（opt_idc）を検索するものとしたが、第２の識別情報検索部１０３は、識別情報（std_idc）の解釈方法とは異なる方法で識別情報（opt_idc）を検索するものとしても良く、この場合について図１５を用いて説明する。この場合、第２の識別情報検索部１０３には、標準規格フォーマットに対応するファイルシステムとは異なるファイルシステムの管理情報から識別情報を解釈する方法が設定されている。なお、図１５において、図３、図１４と同じ処理ステップについては同一符号を付し説明を省略する。
【００９１】
ステップＳ２０３で、第１の標準識別情報検索部１０２が識別情報（std_idc）を検出できなかった場合、第２の識別情報検索部１０３は、ステップＳ３０１で、データ再生装置１３００に対応する標準規格外フォーマットの識別情報（opt_idc）を、識別情報（std_idc）を解釈した方法で検索できるか判定する。ステップＳ３０１の判定の結果、同じ解釈方法で検索可能な場合は処理をステップＳ２０６に移行する。一方、同じ解釈方法で検索不可能な場合、第２の識別情報検索部１０３は、ステップＳ３０２で、予め設定されている別の解釈方法で識別情報（opt_idc）を検索可能かを判定する。ステップＳ３０２の判定の結果、別の解釈方法で検索可能である場合は、ステップＳ３０３で、識別情報（opt_idc）を検索する。その後、処理はステップＳ２０７に移行する。ステップＳ３０２の判定の結果、別の解釈方法で検索不可能である場合、処理はステップＳ１２０１に移行する。ステップＳ２０７以降の処理及びステップＳ１２０１以降の処理は、図１４のフローに示す処理と同様であるので説明を省略する。
【００９２】
以上のように、本発明の実施の形態６に係るデータ再生装置は、光ディスクに記録された多重化データを再生する際に、光ディスクに記録された管理情報から標準規格フォーマットの識別情報（std_idc）が検出できない場合、識別情報（opt_idc）を第２の識別情報検索部１０３が検索する。さらに、第２の識別情報検索部１０３が識別情報（opt_idc）を検索できない場合、識別情報（opt_idc）を解釈可能な外部機器を検索し、解釈可能な外部機器１１０５に多重化データを送信し、外部機器１１０５から多重化データを分離した再生用データを受信するようにしたので、識別情報（std_idc）及び識別情報（opt_idc）を検索できなくても、標準規格外フォーマットで多重化されたデータを光ディスクから再生することができる。
【００９３】
（実施の形態７）
図１６は、本発明の実施の形態７に係るデータ再生装置の構成を示すブロック図で、図１３に示すデータ再生装置と同一構成要素については同一符号を付し、説明を省略する。図１６に示すデータ再生装置１６００は、再生方法決定部４０１を備える点で、図１３に示すデータ再生装置１３００と異なる。その他の構成要素については、図１３に示すデータ再生装置１３００と同様であるので説明を省略する。
【００９４】
第２の識別情報検索部１０３が検出した識別情報（opt_idc）に示される標準規格外フォーマットで多重化データを再生する場合、再生方法決定部４０１は、多重化データの内容に基づいて、多重化データの再生方法を決定する。具体的に、再生方法決定部４０１は、管理情報に含まれる、映像データ、音声データ、テキストデータ等の属性情報、または、多重化データに対応する付加情報に基づいて、データを通常再生するか、再生可能なデータをデータ再生装置４００が対応する機能のみで限定再生するかを決定する。属性情報及び付加情報については、実施の形態２で説明したので、その説明を省略する。
【００９５】
次に動作について説明する。
図１７はデータ再生装置１６００の動作を説明するためのフローチャート図であり、図５、図１４に示す処理ステップと同一処理ステップについては、同一符号を付し、詳細な説明を省略する。
【００９６】
ステップＳ２０１〜ステップＳ２０５までの処理は、図１に示す処理と同様であるので説明を省略する。
【００９７】
図１７に示すステップＳ２０３で、第１の識別情報検索部１０２が識別情報（std_idc）を管理情報から検出できなかった場合、ステップＳ１４０１で、第２の識別情報検索部１０３は、データ再生装置１６００で対応可能な標準規格外フォーマットの識別情報（opt_idc）を管理情報から検索可能かを判定する。検索可能である場合、図５に示すステップＳ５０１〜ステップＳ５０５の処理を行う。すなわち、再生方法決定部４０１が、第２の識別情報検索部１０３により検索された識別情報（opt_idc）が示すフォーマットで多重化データを通常再生するか限定再生するかを決定し、多重化データを通常再生または限定再生する。
【００９８】
一方、ステップＳ１４０１において、第２の識別情報検索部１０３が識別情報（opt_idc）を管理情報から検索不可能であると判定した場合、データ再生装置１６００は、図１２に示すステップＳ１２０１〜ステップＳ１２０６の処理を行う。すなわち、データ再生装置１６００は、識別情報（opt_idc）が解釈可能な外部機器を検索し、解釈可能な外部機器１１０５に多重化データを送信する。そして、データ再生装置１６００は、多重化データを分離した再生用データを外部機器１１０５から受信し、受信データを再生する。
【００９９】
前記説明では、第２の識別情報検索部１０３は、識別情報（std_idc）の解釈方法と同じ方法で識別情報（opt_idc）を検索するものとしたが、第２の識別情報検索部１０３は、識別情報（std_idc）の解釈方法とは異なる方法で識別情報（opt_idc）を検索するものでも良く、この場合について図１８を用いて説明する。この場合、第２の識別情報検索部１０３には、標準規格フォーマットに対応するファイルシステムとは異なるファイルシステムの管理情報から識別情報を解釈する方法が設定されている。なお、図１８において、図６、図１７と同じ処理ステップについては同一符号を付し詳細な説明を省略する。
【０１００】
図１８に示すステップＳ２０３で、第１の識別情報検索部１０２が識別情報（std_idc）を検出できなかった場合、第２の識別情報検索部１０３は、ステップＳ３０１で、識別情報（std_idc）を解釈した方法で識別情報（opt_idc）を検索できるか判定する。ステップＳ３０１の判定の結果、同じ解釈方法で検索可能な場合、処理はステップＳ２０６に移行する。一方、同じ解釈方法で検索不可能な場合、第２の識別情報検索部１０３は、ステップＳ３０２で、予め設定されている別の解釈方法で標準規格外フォーマットの識別情報（opt_idc）を検索可能かを判定する。ステップＳ３０２の判定の結果、別の解釈方法で検索可能である場合は、ステップＳ３０３で、識別情報（opt_idc）を検索する。その後、処理はステップＳ２０７に移行する。ステップＳ３０２の判定の結果、別の解釈方法で検索不可能である場合は、ステップＳ１２０１に処理を移行する。ステップＳ２０７以降の処理及びステップＳ１２０１以降の処理は、図１７のフローに示す処理と同様であるので説明を省略する。
【０１０１】
以上のように、本発明の実施の形態７に係るデータ再生装置は、光ディスクに記録された多重化データを再生する際に、光ディスクに記録された管理情報から標準規格フォーマットの識別情報（std_idc）が検出できない場合、識別情報（opt_idc）を第２の識別情報検索部１０３が検索する。さらに、第２の識別情報検索部１０３で識別情報（opt_idc）が検索できない場合、識別情報（opt_idc）を解釈可能な外部機器１１０５を検索し、解釈可能な外部機器１１０５に多重化データを送信し、外部機器１１０５から多重化データを分離した再生用データを受信するようにした。また、第２の識別情報検索部１０３が検出した識別情報（opt_idc）に示されるフォーマットに基づいて多重化データを再生する場合、多重化データ中の映像データ、音声データ、テキストデータ等の属性情報、または多重化データに対する付加情報に応じて、通常再生するか限定再生するかを決定するようにした。これにより、識別情報（std_idc）及び識別情報（opt_idc）を検索できなくても、標準規格外フォーマットで多重化されたデータを光ディスクから再生することができる。さらに、標準規格外フォーマットに基づいて多重化データを再生する場合、通常再生できなくても、データ再生装置が対応可能な機能のみで多重化データを再生することができる。
【０１０２】
なお、実施の形態７においては、再生方法決定部４０１が再生方法を決定するようにしたが、再生方法決定部４０１がユーザーからの指示４０２を受け付ける機能を有するようにし、ユーザーの指示に基づいて、再生方法を決定するようにしていても良い。この場合、ステップＳ５０４にて、表示部１０６が再生可能なデータを示す情報を表示画面に表示する。これにより、ユーザーは表示画面を見て限定再生するか否か、及びデータ再生装置が対応する機能でデータを再生するかを決定することが可能になる。
【０１０３】
なお、上記各実施の形態においては、光ディスクに記録されたデータの再生について説明したが、記録媒体は光ディスクに限定されるものではなく、不揮発性メモリ、あるいはハードディスクなど別の媒体であってもよい。
【産業上の利用可能性】
【０１０４】
本発明は、パーソナルコンピュータなどの機器により、光ディスクの規格に準拠しないフォーマットでデータが多重化された多重化データを光ディスクから再生するデータ再生装置として有用である。
【図面の簡単な説明】
【０１０５】
【図１】本発明の実施の形態１に係るデータ再生装置の構成を示すブロック図である。
【図２】本発明の実施の形態１に係るデータ再生装置の動作を説明するためのフローチャート図である。
【図３】本発明の実施の形態１に係るデータ再生装置の動作を説明するためのフローチャート図である。
【図４】本発明の実施の形態２に係るデータ再生装置の構成を示すブロック図である。
【図５】本発明の実施の形態２に係るデータ再生装置の動作を説明するためのフローチャート図である。
【図６】本発明の実施の形態２に係るデータ再生装置の動作を説明するためのフローチャート図である。
【図７】本発明の実施の形態３に係るデータ再生装置の構成を示すブロック図である。
【図８】本発明の実施の形態３に係るデータ再生装置の動作を説明するためのフローチャート図である。
【図９】本発明の実施の形態４に係るデータ記録再生装置の構成を示すブロック図である。
【図１０】本発明の実施の形態４に係るデータ記録再生装置の動作を説明するためのフローチャート図である。
【図１１】本発明の実施の形態５に係るデータ記録再生装置の構成を示すブロック図である。
【図１２】本発明の実施の形態５に係るデータ記録再生装置の動作を説明するためのフローチャート図である。
【図１３】本発明の実施の形態６に係るデータ再生装置の構成を示すブロック図である。
【図１４】本発明の実施の形態６に係るデータ再生装置の動作を説明するためのフローチャート図である。
【図１５】本発明の実施の形態６に係るデータ再生装置の動作を説明するためのフローチャート図である。
【図１６】本発明の実施の形態７に係るデータ再生装置の構成を示すブロック図である。
【図１７】本発明の実施の形態７に係るデータ再生装置の動作を説明するためのフローチャート図である。
【図１８】本発明の実施の形態７に係るデータ再生装置の動作を説明するためのフローチャート図である。
【図１９】従来のデータ再生装置を説明するためのフローチャート図である。
【図２０】（ａ）ＢＤ−ＲＥのファイルシステムにおけるディレクトリ構造を示す図である。（ｂ）ＤＶＤ−ＲＡＭのファイルシステムにおけるディレクトリ構造を示す図である。
【符号の説明】
【０１０６】
１００、４００、１１００、１３００、１６００  データ再生装置
１０１  読み出し部
１０２  第１の識別情報検索部
１０３  第２の識別情報検索部
１０４  データ分離部
１０５  復号部
１０６  表示部
１０７  光ディスク
４０１  再生方法決定部
４０２  ユーザー入力
７００、９００  データ記録再生装置
７０１  処理部
７０２、９０２  書き込み部
９０１  多重化部
１１０１  対応機器検索部
１１０２  分離先決定部
１１０３  送信部
１１０４  受信部
１１０５  外部機器
【図１】
2006073163.tif 000003
【図２】
2006073163.tif 000004
【図３】
2006073163.tif 000005
【図４】
2006073163.tif 000006
【図５】
2006073163.tif 000007
【図６】
2006073163.tif 000008
【図７】
2006073163.tif 000009
【図８】
2006073163.tif 000010
【図９】
2006073163.tif 000011
【図１０】
2006073163.tif 000012
【図１１】
2006073163.tif 000013
【図１２】
2006073163.tif 000014
【図１３】
2006073163.tif 000015
【図１４】
2006073163.tif 000016
【図１５】
2006073163.tif 000017
【図１６】
2006073163.tif 000018
【図１７】
2006073163.tif 000019
【図１８】
2006073163.tif 000020
【図１９】
2006073163.tif 000021
【図２０】
2006073163.tif 000022